(57)【要約】【課題】タンク内の穀粒を構造簡単・安価に袋詰めできるようにする。【解決手段】脱穀穀粒貯溜用のタンク６を備え、タンク６底部の横向き軸芯ｘ周りでの揺動により、タンク６と重なった起立格納姿勢と上端の穀粒排出口１０をタンク６の外方に突出させる傾斜袋詰め作用姿勢とに切り換え自在な搬出用のスクリュウコンベヤ１１を設け、穀粒排出口１０の近くには、袋８を支持するフック１３とスクリュウコンベヤ１１への伝動系に介装した搬出クラッチを断続操作するためのクラッチ操作具１５とを装備させる。【選択図】        図７
2004173528.tif 000002
【特許請求の範囲】
【請求項１】
脱穀穀粒貯溜用のタンクを備えたコンバインにおいて、前記タンク底部の横向き軸芯周りでの揺動により、タンクと重なった起立格納姿勢と上端の穀粒排出口をタンクの外方に突出させる傾斜袋詰め作用姿勢とに切り換え自在な搬出用のスクリュウコンベヤを設け、このスクリュウコンベヤの穀粒排出口の近くには、袋を支持するフックとスクリュウコンベヤへの伝動系に介装した搬出クラッチを断続操作するためのクラッチ操作具とを装備させてあるコンバインの穀粒取り出し装置。
【請求項２】
前記横向き軸芯が前後向き軸芯である請求項１記載のコンバインの穀粒取り出し装置。
【請求項３】
前記スクリュウコンベヤが、前記横向き軸芯周りでの揺動により穀粒排出口の高さを調整自在なものである請求項１又は２記載のコンバインの穀粒取り出し装置。
【請求項４】
前記フックが一つである請求項１〜３のいずれか１項に記載の穀粒取り出し装置。
【発明の詳細な説明】
【０００１】
【発明の属する技術分野】
本発明は、脱穀穀粒貯溜用のタンクを備えたコンバインにおいて前記タンクの貯溜穀粒を袋詰めするための穀粒取り出し装置に関する。
【０００２】
【従来の技術】
この種のコンバインの穀粒取り出し装置として従来では、タンク内の穀粒を揚送する揚送スクリュウコンベヤを設け、この揚送スクリュウコンベヤで揚送されてきた穀粒を排出する排出スクリュウコンベヤを設け、この排出スクリュウコンベヤの穀粒排出口の近くに、この穀粒排出口からの排出穀粒を収容する袋を支持する袋支持装置と、スクリュウコンベヤ群への伝動系に介装した排出クラッチを入り切り操作するための操作具とを設けて、タンク内の貯溜穀粒を袋詰めするようにした技術が知られている（例えば、特許文献１参照。）。
【０００３】
【特許文献１】
特開平１１ー１５５３５６号公報
【０００４】
【発明が解決しようとする課題】
しかし、上記従来の技術によるときは、揚送スクリュウコンベヤと排出スクリュウコンベヤとの二つを用いてタンク内の穀粒を搬出することで袋詰めするから、タンク内の穀粒を取り出す機構が構造複雑で高価なものになっていた。
【０００５】
本発明の目的は、タンク内の穀粒を構造簡単・安価に袋詰めできるようにする点にある。
【０００６】
【課題を解決するための手段】
請求項１に係る本発明によるコンバインの穀粒取り出し装置の特徴・作用・効果は次の通りである。
【０００７】
〔特徴〕
脱穀穀粒貯溜用のタンクを備えたコンバインにおいて、前記タンク底部の横向き軸芯周りでの揺動により、タンクと重なった起立格納姿勢と上端の穀粒排出口をタンクの外方に突出させる傾斜袋詰め作用姿勢とに切り換え自在な搬出用のスクリュウコンベヤを設け、このスクリュウコンベヤの穀粒排出口の近くには、袋を支持するフックとスクリュウコンベヤへの伝動系に介装した搬出クラッチを断続操作するためのクラッチ操作具とを装備させてある点にある。
【０００８】
〔作用〕
起立格納姿勢を傾斜袋詰め作用姿勢とに揺動切り換え自在なスクリュウコンベヤを傾斜袋詰め作用姿勢に切り換えることにより袋詰めするようにしてあるから、袋詰めのためにタンク内の穀粒を取り出すためのスクリュウコンベヤが一つで済む。
もちろん、スクリュウコンベヤの穀粒排出口の近くには、フックを設けて袋を支持するようにするとともに、クラッチ操作具を設けて手元操作でスクリュウコンベヤの発停するようにしてあるから、袋詰めの操作性を損なうことがない。
【０００９】
〔効果〕
従って、操作性良くタンク内の穀粒を袋詰めできる機能を構造簡単・安価に発揮できるようになった。
【００１０】
請求項２に係る本発明によるコンバインの穀粒取り出し装置の特徴・作用・効果は次の通りである。
【００１１】
〔特徴〕
上記請求項１に係る本発明によるコンバインの穀粒取り出し装置において、前記横向き軸芯が前後向き軸芯である点にある。
【００１２】
〔作用〕
コンバインでは、タンクの後方部に空間が形成される傾向にある。
上記の点に着目して、スクリュウコンベヤの揺動軸芯を前後向き軸芯としてあるから、スクリュウコンベヤをタンクの後方部に配置することができる。
【００１３】
〔効果〕
従って、スクリュウコンベヤをコンパクトに設置しやすくなった。
【００１４】
請求項３に係る本発明によるコンバインの穀粒取り出し装置の特徴・作用・効果は次の通りである。
【００１５】
〔特徴〕
上記請求項１や２に係る本発明によるコンバインの穀粒取り出し装置において、前記スクリュウコンベヤが、前記横向き軸芯周りでの揺動により穀粒排出口の高さを調整自在なものである点にある。
【００１６】
〔作用〕
スクリュウコンベヤが揺動により姿勢切り換え自在なものであることに着目して、そのスクリュウコンベヤの揺動により穀粒排出口の高さを調整するようにしてあるから、袋の高さ位置に対応するための穀粒排出口の高さ調整に特別な機構・構造が不要である。
【００１７】
〔効果〕
従って、穀粒排出口の高さ調整を構造簡単に行うことができるようになった。
【００１８】
請求項４に係る本発明によるコンバインの穀粒取り出し装置の特徴・作用・効果は次の通りである。
【００１９】
〔特徴〕
上記請求項１や２，３に係る本発明によるコンバインの穀粒取り出し装置において、前記フックが一つである点にある。
【００２０】
〔作用〕
袋の口の一方側をフックに引っ掛け、他方側を手で支持することにより、袋を袋詰め姿勢に保持できるから、フックが一つであっても袋を良好に支持することができる。
【００２１】
〔効果〕
従って、袋の袋詰め姿勢での支持を構造簡単・安価に行えるようになった。
【００２２】
【発明の実施の形態】
コンバインは、図１、図２に示すように、左右一対のクローラ走行装置１を備えた機体フレーム２の前部に、植立穀稈を刈り取って後方に搬送する刈取部３を揺動昇降自在に連設し、前記機体フレーム２に、前記刈取部３からの刈取穀稈を脱穀処理する脱穀装置４と、この脱穀装置４の左右一方側に位置して脱穀装置４から揚送コンベヤ５を介して搬送されてくる脱穀穀粒を貯溜する脱穀穀粒貯溜用のタンク６と、このタンク６の前部に位置する搭乗運転部７とを搭載して構成されている。
【００２３】
そして、このコンバインは、前記タンク６内の穀粒を取り出して袋８に詰めるための穀粒取り出し装置を備えている。
【００２４】
前記穀粒取り出し装置は、図３〜図７にも示すように、タンク６内底部の前後向き軸芯ｘ周りに駆動回転することによりタンク６内の穀粒を後方外部に搬送する後方搬送スクリュウコンベヤ９を設け、この後方搬送スクリュウコンベヤ９にベベルギヤ機構（図示せず）を介して連動して作動することにより後方搬送スクリュウコンベヤ９により搬送されてくる穀粒を穀粒排出口１０から排出する排出用のスクリュウコンベヤ１１を前記前後向き軸芯ｘ周りでの左右揺動によりタンク６に前後方向で重なった起立格納姿勢（特に、図４の（イ）参照。）と上端の前記穀粒排出口１０をタンク６の左右外方に突出させる傾斜袋詰め作用姿勢（特に、図４の（ロ）及び図７参照。）とに切り換え固定自在に設け、このスクリュウコンベヤ１１の穀粒排出口１０の近くに、図５で詳しく示すように、ファスナーで開閉される口を備えた前記袋８の一側の係止孔１２に係止することでその袋８を穀粒受け入れ姿勢に支持する一つのフック１３と、スクリュウコンベヤ１１への伝動系、具体的には前記後方搬送スクリュウコンベヤ９への伝動系に介装した搬出クラッチ１４をワイヤＷを介して手元で断続操作するためのレバー状のクラッチ操作具１５とを装備させて構成されている。
【００２５】
前記スクリュウコンベヤ１１は、前記前後向き軸芯ｘ周りでの揺動により穀粒排出口１０の高さを有段階に調整自在なものであって、その姿勢調整されたスクリュウコンベヤ１１を固定する手段は、下方へのその自重による揺動により揺動半径方向に間隔を隔てて形成した複数の係合凹部１６の一つを選択してスクリュウコンベヤ１１に付設のピン１７に係合させることによりスクリュウコンベヤ１１を各姿勢で固定する操作用握り部付きの固定用レバー１８を設ける手段である。
【図面の簡単な説明】
【図１】コンバインの側面図
【図２】コンバインの平面図
【図３】取り出し装置の背面図
【図４】姿勢変更を示す取り出し装置要部の背面図
【図５】袋詰め状態の斜視図
【図６】取り出し装置要部の分解斜視図
【図７】袋詰め状態の背面図
【符号の説明】
６          タンク
ｘ          横向き軸芯
１０        穀粒排出口
１１        スクリュウコンベヤ
８          袋
１３        フック
１４        搬出クラッチ
１５        クラッチ操作具
【図１】
2004173528.tif 000003
【図２】
2004173528.tif 000004
【図３】
2004173528.tif 000005
【図４】
2004173528.tif 000006
【図５】
2004173528.tif 000007
【図６】
2004173528.tif 000008
【図７】
2004173528.tif 000009